(57)【要約】      （修正有）【課題】意外性があり且つより安価に占いが可能な占い紙を提供する。【解決手段】燃焼した残骸が飛翔する現象を利用した占いに用いられる占い紙１であって、その骨格を形成する主成分としてパルプを含み、その単位面積当たりの重量が２０ｇ／ｍ２以下であって、その面積が４９００〜２２５００ｍｍ２である。【選択図】図１
0003177797.tif 000002
【実用新案登録請求の範囲】
【請求項１】
その燃焼した残骸が飛翔する現象を利用した占いに用いられる占い紙であって、
その骨格を形成する主成分としてパルプを含み、
その単位面積当たりの重量が０ｇ／ｍ２を超え且つ２０ｇ／ｍ２以下であって、
その面積が４９００ｍｍ２以上且つ２２５００ｍｍ２以下である、占い紙。
【請求項２】
そのパルプの含有率が、実質的に１００％である、請求項１に記載の占い紙。
【請求項３】
その製造時に混入する不純物、及び、着色剤のいずれかの不純物を含む、請求項２に記載の占い紙。
【請求項４】
そのパルプの含有率が、１００％である、請求項１に記載の占い紙。
【請求項５】
その単位面積当たりの重量が、１４ｇ／ｍ２以上且つ２０ｇ／ｍ２以下である、請求項１に記載の占い紙。
【請求項６】
その面積が、８１００ｍｍ２以上且つ１４４００ｍｍ２以下である、請求項１に記載の占い紙。
【請求項７】
その外形が、四角形である、請求項１乃至６のいずれかに記載の占い紙。
【考案の詳細な説明】
【技術分野】
【０００１】
本考案は、占い紙に関するものである。
【背景技術】
【０００２】
一般に、各種のパーティや宴会等において、その場の雰囲気を盛り上げるための趣向の一つとして占いがある。例えば、特許文献１には、占いの際の演出効果を高めるために、クラッカーの引き紐を引いて火薬体を爆発させると、内部に収納されたおみくじや占い等を表示したカードが噴出するクラッカーが提案されている。
【先行技術文献】
【特許文献】
【０００３】
【特許文献１】登録実用新案第３００５５３８号公報
【考案の概要】
【考案が解決しようとする課題】
【０００４】
しかしながら、上記従来の占いに用いるクラッカーは演出効果が高い一方で、クラッカー自体が周知であるので、参加者にとっては意外性に欠けるという課題がある。更に、複雑な構造を有するクラッカーを用いるため製造コストが上がってしまうという課題がある。
【０００５】
本考案の目的は、意外性があり且つより安価に占いが可能な占い紙を提供することにある。
【課題を解決するための手段】
【０００６】
上記の課題を解決するために、本考案のある態様に係る占い紙は、その燃焼した残骸が飛翔する現象を利用した占いに用いられる占い紙であって、その骨格を形成する主成分としてパルプを含み、その単位面積当たりの重量が０ｇ／ｍ２を超え且つ２０ｇ／ｍ２以下であって、その面積が４９００ｍｍ２以上且つ２２５００ｍｍ２以下である。
【０００７】
上記構成により、室内において、例えば、各人が占いたいこと（占い事という）を記入した上記占い紙をしわくちゃに丸めるなどした後、延ばして筒状にし、平らな面上に立てて置き、当該占い紙の上部に火を点火することで、一瞬のうちに当該占い紙が燃焼してその燃焼した残骸（以下、燃焼残骸という）に変じ、当該燃焼残骸が一定の形状を保ちつつ任意の高さで上空に舞い上がる。これにより、各人は占い紙の燃焼残骸が飛んだ高さによって、占い事の結果を占うことができる。
【０００８】
上記占い紙のパルプの含有率は、実質的に１００％であってもよい。ここで、“パルプの含有率が実質的に１００％”とは、いわゆる公称１００％を意味する。パルプの含有率が公称１００％である紙は、一般的に製造時において紙に混入した不純物を含んでおり、又、当該紙が着色されていれば、当該紙は着色剤を含んでいる。さらに、当該紙がその本来の性能に影響を与えない添加物を含む場合もある。パルプの含有率が実質的に１００％であるとは、当該紙が、骨格を形成する主成分としてのパルプとこのような不純物及び又は添加物とから成ることを意味する。したがって、上記占い紙の製造時に混入する不純物、及び、着色剤のいずれかの不純物を含んでもよい。もちろん、上記占い紙のパルプの含有率が、１００％であってもよい。
【０００９】
上記占い紙の単位面積当たりの重量が、１４ｇ／ｍ２以上且つ２０ｇ／ｍ２以下であってもよい。これにより、占い紙の燃焼の状態がより安定し、燃焼残骸が上空に舞い上がる高さを最適な範囲とすることができる。
【００１０】
上記占い紙の面積が、８１００ｍｍ２以上且つ１４４００ｍｍ２以下であってもよい。これにより、好適に飛翔して占いとしての遊戯性を持たせ、かつ人の手により占い紙を筒状に変形し易くすることができる。
【００１１】
上記占い紙の外形が、四角形であることが望ましい。これにより、占い紙を筒状に変形し易くなるとともに平らな面上に立て易くなる。
【００１２】
また、本考案の他の形態に係る占い方法は、その骨格を形成する主成分としてパルプを含み、その単位面積当たりの重量が０ｇ／ｍ２を超え且つ２０ｇ／ｍ２以下であって、その面積が４９００ｍｍ２以上且つ２２５００ｍｍ２以下である占い紙を用意することと、前記占い紙を筒状にすることと、前記筒状にした前記占い紙を平らな面に立てることと、前記平らな面に立てた前記占い紙の上部に火を点火することとを含む。
【００１３】
上記占い紙を筒状にすることは、上記占い紙を丸めた後に上記占い紙を広げて筒状にすることを含んでもよい。
【考案の効果】
【００１４】
本考案によれば、意外性があり且つより安価に占いが可能な占い紙を提供することができる。
【図面の簡単な説明】
【００１５】
【図１】本考案の実施の形態に係る占い紙を示す平面図である。
【図２】図１の占い紙を用いた占い方法の手順を説明する流れ図である。
【図３】図１の占い紙を用いた占い方法を説明する模式図である。
【図４】占い紙の重量が１４ｇ／ｍ２である場合の実験結果を示すマトリクス図である。
【図５】占い紙の重量が２０ｇ／ｍ２である場合の実験結果を示すマトリクス図である。
【図６】占い紙の重量が２６ｇ／ｍ２である場合の実験結果を示すマトリクス図である。
【図７】占い紙の面積が８１００ｍｍ２の場合の実験結果を示すグラフである。
【図８】占い紙の面積が１００００ｍｍ２の場合の実験結果を示すグラフである。
【図９】占い紙の面積が１２１００ｍｍ２の場合の実験結果を示すグラフである。
【図１０】占い紙の面積が１４４００ｍｍ２の場合の実験結果を示すグラフである。
【図１１】占い紙の面積が１６９００ｍｍ２の場合の実験結果を示すグラフである。
【図１２】占い紙の面積が１９６００ｍｍ２の場合の実験結果を示すグラフである。
【図１３】占い紙の面積が２２５００ｍｍ２の場合の実験結果を示すグラフである。
【考案を実施するための形態】
【００１６】
本考案の実施形態を、図面を参照しつつ説明する。
【００１７】
（占い紙の構成）
図１は、本考案の実施形態に係る占い紙を示す平面図である。図１を参照すると、占い紙１は、燃焼した残骸（燃焼残骸）が飛翔する現象を利用した占いに用いられる。ここで「占い」とは、通常の「占い」の他、「願掛け」も含む。占い紙１は、燃焼残骸が占いを効果的に演出するように飛翔するよう所定の構成を備えている。この所定の構成とは、占い紙１の材質、単位面積当たりの重量（Ｗ／ｍ２）、及び面積（例えば、Ｄ１×Ｄ２）である。
【００１８】
占い紙１の材質は実質的にパルプである。換言すると、占い紙１は、その骨格を形成する主成分としてパルプを含む。占い紙１の材質がパルプであってこそ、飛翔に適した軽く且つ薄片状の残骸が残るからである。例えば、占い紙１が、合成樹脂からなる合成紙、パルプと合成樹脂繊維とを含む混抄紙等のパルプ以外の成分を多く含む紙である場合には、燃焼残骸が重い、あるいは薄片状にならないなどの理由により、その燃焼残骸は飛翔しない。占い紙１のパルプの含有率は、実質的に１００％である。ここで、“パルプの含有率が実質的に１００％”とは、いわゆる公称１００％を意味する。パルプの含有率が公称１００％である紙は、一般的に製造時において紙に混入した不純物を含んでおり、又、当該紙が着色されていれば、当該紙は着色剤を含んでいる。さらに、当該紙がその本来の性能に影響を与えない添加物を含む場合もある。パルプの含有率が実質的に１００％であるとは、当該紙が、骨格形成する主成分としてのパルプとこのような不純物及び又は添加物とから成ることを意味する。したがって、占い紙１の製造時に混入する不純物、及び、着色剤のいずれかの不純物を含んでもよい。
【００１９】
占い紙１の単位面積当たりの重量（Ｗ／ｍ２）は、０ｇ／ｍ２を超え且つ２０ｇ／ｍ２以下である。単位面積当たりの重量が小さい程、浮力が生じやすいからである。また、占い紙１の単位面積当たりの重量は、１４ｇ／ｍ２以上且つ２０ｇ／ｍ２以下であることが好ましい。これにより、占い紙１の燃焼の状態がより安定し、燃焼残骸が上空に舞い上がる高さを最適な範囲とすることができる。
【００２０】
占い紙１の材質及び単位面積当たりの重量がこのように定まると、占い紙１の厚みは実質的に定まる。すなわち、占い紙１は薄葉紙である。
【００２１】
占い紙１の面積（例えば、Ｄ１×Ｄ２）は、４９００ｍｍ２以上且つ２２５００ｍｍ２以下である。この範囲の面積（換言すると、占い紙１のサイズ）の占い紙１が、好適に飛翔して遊戯性があるからである。また、人の手により占い紙を筒状に変形し易いからである。占い紙１の面積は、８１００ｍｍ２以上且つ１４４００ｍｍ２以下であることが好ましい。この範囲において、最低点及び最高点がより高く、且つその範囲内で高さのばらつきが一様であり、占いとして遊戯性が高いからである。
【００２２】
占い紙１の外形は、任意である。但し、占い紙１の外形が四角形であると、占い紙１を筒状に変形し易くなるとともに平らな面上に立て易くなるので好ましい。
【００２３】
（占い方法）
次に、図１の占い紙１を用いた占い方法について図２及び図３を用いて具体的に説明する。なお、占い方法は以下には限定されず、任意の占い方法が可能である。以下では、占い紙１が以下のように構成されていると仮定する。すなわち、占い紙１の単位面積当たりの重量が１４ｇ／ｍ２である。占い紙１の面積は１４４００ｍｍ２である。占い紙１の外形は四角形であり、本実施の形態では占い紙１の外形は、縦の長さＤ１と横の長さＤ２が等しい正方形とする。また、本考案の実施形態に係る占いは、例えば、参加者が２０代の男女であって、その割合が男性４０％、女性６０％のパーティの参加者について占うと仮定する。
【００２４】
まず、占い紙１に占いたいことを記入する（図２のＳ１）。ここでは、例えば男性の参加者Ａと、女性の参加者Ｂの名前を占い紙１の中央に記入して、男性Ａと女性Ｂとの相性を占う（図３の最上部の模式図を参照）。
【００２５】
次に、占い紙１を筒状にする（図２のＳ２）。ここでは、一度占い紙１をしわくちゃに丸めた後に占い紙１を延ばして広げる（図３の上から２番目の模式図を参照）。これにより、占い紙１を筒状に変形し易くすることができる。
【００２６】
次に、筒状にした占い紙１を平らな面に立てて置く（Ｓ３）。ここでは、例えばテーブルの上に筒状にした占い紙１を立てて置く（図３の上から３番目の模式図を参照）。
【００２７】
次に、平らな面に置いた占い紙１の上部に火を点火する（Ｓ４）。ここでは、例えば、マッチの火により占い紙１の上部に点火する（図３の上から４番目の模式図を参照）。これにより、占い紙１が燃焼して燃焼残骸に変じ、その残骸が燃焼による上昇気流に乗って、一定の形状を保ちつつ任意の高さで上空に舞い上がる。尚、占い紙１への点火方法は参加者が手軽に行うためにライター等を使用してもよい。
【００２８】
最後に、占い紙１の残骸が飛んだ高さを計測することにより結果を占う（Ｓ５）。高さの計測は目測でもよいが、あるいは、残骸が飛んだ高さを計測しやすいように、例えば壁にテーブルから天井まで高さの指標を置いてもよい。そして、飛んだ高さが高ければ高いほど結果が良好であるように設定しておく。結果の例としては、１５０ｃｍ以上飛んだ場合は「すごく良い」、１００ｃｍ以上飛んだ場合は「とても良い」、５０ｃｍ以上飛んだ場合は「良い」とする。これにより、各人は占い紙の燃焼残骸が飛んだ高さを計測することで、結果を占うことができる。尚、このとき各人は落下してきた燃焼残骸をキャッチしてもよい。
【００２９】
このようにして、占い紙１の燃焼した残骸が飛翔する現象を利用した占いを行うことができる。
【００３０】
（飛翔実験）
本考案者らは、占い紙１の最適な単位面積当たりの重量及び面積を決定するために実験を行った。条件として、風を遮断した室内で行い、予め空調の電源をすべて落として無風状態で行った。気温は摂氏２１度とした。
【００３１】
実験装置として、床面より７０ｃｍの高さに平らな面を有する発射台を設置し、発射台の地点を基準点（高さ０ｃｍ）とした。基準点から２５ｃｍ毎に高さの指標をおき、高さの最大値は例えば天井までの高さ１７５ｃｍとした。
【００３２】
実験方法は、発射台の平らな面上に筒状にした薄葉紙を立て、上端１ヶ所に点火し、燃焼残骸となった薄葉紙が上昇する。最高到達点に印をつけ、発射台の基準点から到達点までの高さを計測した。
【００３３】
実験材料として、単位面積当たりの重量が１４ｇ／ｍ２、２０ｇ／ｍ２、２６ｇ／ｍ２の３種類の薄葉紙を使用した。薄葉紙は、その面積が４９００ｍｍ２以上且つ２２５００ｍｍ２以下の範囲の９種類のものを使用した。面積はそれぞれ、４９００ｍｍ２（縦７０ｍｍ２×横７０ｍｍ２）、６４００ｍｍ２（縦８０ｍｍ２×横８０ｍｍ２）、８１００ｍｍ２（縦９０ｍｍ２×横９０ｍｍ２）、１００００ｍｍ２（縦１００ｍｍ２×横１００ｍｍ２）、１２１００ｍｍ２（縦１１０ｍｍ２×横１１０ｍｍ２）、１４４００ｍｍ２（縦１２０ｍｍ２×横１２０ｍｍ２）、１６９００ｍｍ２（縦１３０ｍｍ２×横１３０ｍｍ２）、１９６００ｍｍ２（縦１４０ｍｍ２×横１４０ｍｍ２）、２２５００ｍｍ２（縦１５０ｍｍ２×横１５０ｍｍ２）のものを使用した。
【００３４】
次に、占い紙の最適な単位面積当たりの重量を決定するための実験結果について図４〜図６を用いて説明する。図中の行は各面積に対応し、図中の列は計５回の実験回数を示している。図中の数字は占い紙１の燃焼残骸が飛んだ高さ（ｃｍ）を示している。図４は、占い紙の単位面積当たりの重量が１４ｇ／ｍ２の場合の実験結果を示すマトリクス図である。実験結果によれば、いずれの場合も占い紙１が任意の高さに飛翔しており、良好である。
【００３５】
図５は、占い紙の単位面積当たりの重量が２０ｇ／ｍ２の場合の実験結果を示すマトリクス図である。実験結果によれば、占い紙１が全く飛ばない場合があるものの、計５回の実験の中で少なくとも１回は飛翔しており、許容可能な範囲内である。
【００３６】
図６は、占い紙の単位面積当たりの重量が２６ｇ／ｍ２の場合の実験結果を示すマトリクス図である。実験結果によれば、いずれの場合も占い紙１が全く飛翔しておらず、占い紙１としては不適切である。
【００３７】
以上の実験結果より、占い紙１の最適な単位面積当たりの重量は、１４ｇ／ｍ２であると決定した。また、占い紙１の単位面積当たりの重量は軽いほど良好な結果が得られたことから、占い紙１の単位面積当たりの重量の範囲は０ｇ／ｍ２を超え且つ２０ｇ／ｍ２以下であることが望ましい。実験結果より、更に好適な範囲を限定するとすれば、その単位面積当たりの重量が、１４ｇ／ｍ２以上且つ２０ｇ／ｍ２以下であることが望ましい。
【００３８】
次に、占い紙の最適な面積を決定するための実験結果について図７〜図１３のグラフを用いて説明する。いずれのグラフにおいてもグラフ中の縦軸は占い紙１の残骸が飛んだ高さ（ｃｍ）を示し、横軸は、計２０回の実験回数を示している。
【００３９】
図７は、占い紙の面積が８１００ｍｍ２の場合の実験結果を示すグラフである。実験結果によれば、計２０回のうちで飛翔高さは２５ｃｍから１６２ｃｍの範囲である。
【００４０】
図８は、占い紙の面積が１００００ｍｍ２の場合の実験結果を示すグラフである。実験結果によれば、計２０回のうちで飛翔高さは３ｃｍから１７５ｃｍの範囲である。
【００４１】
図９は、占い紙の面積が１２１００ｍｍ２の場合の実験結果を示すグラフである。実験結果によれば、計２０回のうちで飛翔高さは２４ｃｍから１７５ｃｍの範囲である。
【００４２】
図１０は、占い紙の面積が１４４００ｍｍ２の場合の実験結果を示すグラフである。実験結果によれば、計２０回のうちで飛翔高さは７２ｃｍから１７５ｃｍの範囲である。
【００４３】
図１１は、占い紙の面積が１６９００ｍｍ２の場合の実験結果を示すグラフである。実験結果によれば、計２０回のうちで飛翔高さは５０ｃｍから１７５ｃｍの範囲である。
【００４４】
図１２は、占い紙の面積が１９６００ｍｍ２の場合の実験結果を示すグラフである。実験結果によれば、計２０回のうちで飛翔高さは７８ｃｍから１７０ｃｍの範囲である。
【００４５】
図１３は、占い紙の面積が２２５００ｍｍ２の場合の実験結果を示すグラフである。実験結果によれば、計２０回のうちで飛翔高さは７７ｃｍから１７５ｃｍの範囲である。
【００４６】
本実験では、結果の良否の判断指標として、最低点及び最高点がより高く、且つその範囲内で高さのばらつきが一様なものが占いとして遊戯性があるものとした。
【００４７】
以上の結果より、計２０回のうちで最も結果の良好で遊戯性のある占い紙の面積は１４４００ｍｍ２の場合である。
【００４８】
また、本実施形態では８１００ｍｍ２以下の場合の実験結果を示してはいないが、好適な占い紙１の面積の範囲として、４９００ｍｍ２以上且つ２２５００ｍｍ２以下であることが望ましい。
【００４９】
更に、より好適な占い紙１の面積の範囲を限定するとすれば、８１００ｍｍ２以上且つ１４４００ｍｍ２以下であることが望ましい。
【００５０】
（その他）
本考案の実施形態に係る占いは、参加者が２０代の男女であって、その割合が男性４０％、女性６０％のパーティにおいて参加者を占うものとしたが、これに限られるものではない。その他の好適な状況としては、各種のパーティや宴会等、誕生会、コンパ、宴会、女子会、婚礼等のウェディングパーティ等が挙げられる。また、例えば参加者の男女の割合は、男性又は女性の割合が４０％〜６０％であってもよい。参加者の好適な年代としては、例えば男性女性ともに１０代〜４０代であり、例えば男性の参加者は、１０代が男性全体の１５％、２０代が男性全体の４５％、３０代が男性全体の３０％、４０代が男性全体の１０％の割合であってもよい。また、女性の参加者は、１０代が女性全体の２０％、２０代が女性全体の４０％、３０代が女性全体の３０％、４０代が女性全体の１０％の割合であってもよい。占いの使用用途としては、二人の参加者の名前を書き相性度を占うことだけでなく、例えば、参加者の将来のことを占う、願い事が叶うかどうかを占ってもよい。
【００５１】
また、本実施形態は、上記占い紙のパルプの含有率が、実質的に１００％としたが、パルプの含有率が１００％の紙の製造が実現できれば、もちろん上記占い紙のパルプの含有率が、１００％であってもよい。
【００５２】
その他、本実施形態では、占い紙の外形は、四角形である正方形としたが、これに限られるものではなく、縦の長さがＤ１、横の長さがＤ１よりも大きいＤ２である長方形であってもよい。また、占い紙を筒状に折り曲げて平らな面上に立てて置くことができれば、占い紙の外形は、特に限定されることはない。
【００５３】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００５４】
本考案は、燃焼した残骸が飛翔する現象を利用した占いに用いることができる。
【符号の説明】
【００５５】
１        占い紙
１０        燃焼残骸（燃焼した占い紙の残骸）
【図１】
0003177797.tif 000003
【図２】
0003177797.tif 000004
【図３】
0003177797.tif 000005
【図４】
0003177797.tif 000006
【図５】
0003177797.tif 000007
【図６】
0003177797.tif 000008
【図７】
0003177797.tif 000009
【図８】
0003177797.tif 000010
【図９】
0003177797.tif 000011
【図１０】
0003177797.tif 000012
【図１１】
0003177797.tif 000013
【図１２】
0003177797.tif 000014
【図１３】
0003177797.tif 000015